(57)【要約】      （修正有）【課題】冷蔵室と野菜室とを上下に仕切る仕切体を通して冷蔵室から野菜室の内部を目視することができる冷蔵庫において、仕切体を断熱箱体に固定するための構成が見えず美観を損ねることがない冷蔵庫を提供する。【解決手段】外箱１１ａと内箱１１ｂとの間に断熱材１１ｃを配した断熱箱体１１と、断熱箱体１１の内部に設けられた冷蔵空間２０を上下に仕切る仕切体６０とを備え、仕切体６０の上側に冷蔵室２２を設け、仕切体６０の下側に野菜室２４を設けた冷蔵庫１０において、仕切体６０は、内箱１１ｂに係止する固定板６２と、固定板６２の内方に配置された透明板６４とを備える。【選択図】図１
2011242002.tif 000002
【特許請求の範囲】
【請求項１】
外箱と内箱との間に断熱材を配した断熱箱体と、前記断熱箱体の内部に設けられた冷蔵空間を上下に仕切る仕切体とを備え、前記仕切体の上側に冷蔵室を設け、前記仕切体の下側に野菜室を設けた冷蔵庫において、
前記仕切体は、前記内箱に係止する固定板と、前記固定板の内方に配置された透明板とを備えることを特徴とする冷蔵庫。
【請求項２】
前記仕切体の上方に配置された引出式の容器を備え、
前記容器の底面と前記透明板との間に上下方向の間隙が設けられていることを特徴とする請求項１に記載の冷蔵庫。
【請求項３】
前記野菜室内に照明装置が配設されていることを特徴とする請求項１又は２に記載の冷蔵庫。
【請求項４】
前記冷蔵室の前面開口部を閉塞する扉が開扉すると、前記照明装置が点灯することを特徴とする請求項３に記載の冷蔵庫。
【請求項５】
前記野菜室の前面開口部を閉塞する野菜室扉の開扉によって前記野菜室内から引き出される下段容器と、前記下段容器の上方に配設される上段容器とを備え、
前記上段容器の前端部が、前記野菜室の閉扉状態において前記透明板の下方に位置していることを特徴とする請求項１〜４のいずれか１項に記載の冷蔵庫。
【請求項６】
製氷用水を貯水する給水タンクが、前記仕切体の上面であって、前記透明板より冷蔵室幅方向にずれた位置に配設されていることを特徴とする請求項１〜５のいずれか１項に記載の冷蔵庫。
【発明の詳細な説明】
【技術分野】
【０００１】
本発明の実施形態は、冷蔵庫に関する。
【背景技術】
【０００２】
冷蔵庫本体を構成する断熱箱体の内部に、上方より順に冷蔵室、野菜室、製氷室、冷凍室を設け、冷蔵室と野菜室との間を透明な仕切体によって仕切り、野菜室を閉扉した状態であっても冷蔵室から仕切体を通して野菜室の内部を目視することができる冷蔵庫が従来より提案されている（例えば、下記特許文献１参照）。
【先行技術文献】
【特許文献】
【０００３】
【特許文献１】特開平１１−３２５７０５号公報
【発明の概要】
【発明が解決しようとする課題】
【０００４】
上記のような冷蔵庫では、冷蔵室と野菜室とを仕切る仕切体が透明であるため、仕切体を断熱箱体に固定するための構成が、仕切体を通して見えてしまい美観を損ねるという問題がある。
【０００５】
本発明は上記問題を考慮してなされたものであり、野菜室を閉扉した状態であっても冷蔵室から仕切体を通して野菜室の内部を目視することができる冷蔵庫において、仕切体を断熱箱体に固定するための構成が見えず美観を損ねることがない冷蔵庫を提供することを目的とする。
【課題を解決するための手段】
【０００６】
本発明の実施形態に係る冷蔵庫は、外箱と内箱との間に断熱材を配した断熱箱体と、前記断熱箱体の内部に設けられた冷蔵空間を上下に仕切る仕切体とを備え、前記仕切体の上側に冷蔵室を設け、前記仕切体の下側に野菜室を設けた冷蔵庫において、前記仕切体は、前記内箱に係止する固定板と、前記固定板の内方に配置された透明板とを備えることを特徴とすることを特徴とする。
【図面の簡単な説明】
【０００７】
【図１】本発明の一実施形態に係る冷蔵庫を概略的に示す斜視図である。
【図２】図１に示す冷蔵庫の断面図である。
【図３】図１に示す冷蔵庫の扉を取り外した状態の要部を拡大して示す斜視図である。
【図４】図２の要部を拡大して示す断面図である。
【図５】図２のＡ−Ａ断面図である。
【発明を実施するための形態】
【０００８】
以下、本発明の一実施形態について、図面を参照して説明する。
【０００９】
本発明の一実施形態に係る冷蔵庫１０は、図１及び図２に示すように、外郭を形成する外箱１１ａと貯蔵空間を形成する内箱１１ｂとの間に発泡断熱材１１ｃを充填した断熱箱体からなる冷蔵庫本体１１を備え、貯蔵空間を断熱仕切壁１２によって上方の冷蔵空間２０と下方の冷凍空間２１とに区画している。
【００１０】
冷蔵空間２０は、さらに仕切体６０によって上下に区画され、上部空間に複数段の載置棚を設けた冷蔵室２２が設けられ、下部空間に上下２段に設けられた上部容器２５ａおよび下部容器２５ｂを配置する野菜室２４が設けられている。
【００１１】
野菜室２４の下方に配置した冷凍空間２１には、比較的小容積の自動製氷装置（不図示）を備えた製氷室２６と小型冷凍室２８を左右に併設しており、その下方には冷凍室３０が設けられている。
【００１２】
冷蔵室２２の開口部は、冷蔵庫本体１１の一側部の上下に設けられたヒンジにより回動自在に枢支された冷蔵室扉２３により閉塞されている。この冷蔵室扉２３は扉センサ３２によって該扉２３の開閉が検知される。
【００１３】
野菜室２４の開口部は、引き出し式の野菜室扉２５により閉塞されている。野菜室扉２５の裏面側には、下部容器２５ｂを保持する左右一対の支持枠が固着されており、開扉動作とともに下部容器２５ｂが庫外に引き出されるように構成されている。
【００１４】
下部容器２５ｂの上方には、透明樹脂材で成形された上部容器２５ａが配設されており、上部容器２５ａを通して下部容器２５ｂの内部が上方より目視できるように構成されている。
【００１５】
上部容器２５ａは、野菜室２４の側壁面に形成されたレール２４ａ上を前後方向に摺動することで、下部容器２５ｂと独立して庫外へ引き出されるように構成されている。野菜室扉２５の閉扉動作時には、下部容器２５ｂから上部容器２５ａに向けて突出する突片（不図示）が、上部容器２５ａに当接し上部容器２５ａを後方へ移動させる。後方へ移動する上部容器２５ａは、野菜室２４の背面を構成するダクトカバー１８に当接することで、更なる後方への移動が規制され、これにより、上部容器２５ａは、野菜室扉２５が閉扉されると所定位置に移動する。
【００１６】
また、製氷室２６、小型冷凍室２８、及び冷凍室３０の開口部も、野菜室２４と同様、引き出し式扉２７，２９，３１により閉塞され、各引き出し式扉２７，２９，３１の裏面側に固着した左右一対の支持枠に収納容器が保持されており、開扉動作とともに該収納容器が庫外に引き出されるように構成されている。
【００１７】
そして、冷蔵室２２と野菜室２４とを仕切る仕切体６０は、冷蔵庫本体１１の内箱１１ｂに係止する固定板６２と、固定板６２の内方に配置された透明板６４とを備える。
【００１８】
固定板６２は、冷蔵空間２０の内部形状に合わせた板状に成形された不透明の樹脂成形体からなる。固定板６２は、図３に示すように、後端部が冷蔵室２２の背面を構成するダクトカバー１８より内方（前方）に向かって突出する突部１８ａに支持され、前端部が仕切カバー４１に係止される。また、固定板６２の左右の側端部は、図５に示すように、冷蔵室２２の側壁より内方に向かって突出する凸部１７に支持されるとともに、凸部１７に設けられた係止爪１７ａに係止して固定され、これにより固定板６２が冷蔵庫本体１１に配設される。
【００１９】
固定板６２の上方には、固定板６２の前端部から所定距離だけ後方へ後退した位置に、載置棚を兼ねた冷蔵庫全幅にわたる天板４２が配されている。本実施形態では、固定板６２と天板４２とで上下に仕切られた空間が、２つの縦仕切壁４４，４６によって冷蔵庫幅方向に３つの空間に区画されている（図１、３参照）。
【００２０】
具体的には、縦仕切壁４４が冷蔵室２２の一方側壁（左側壁）に寄せて配設され、縦仕切壁４６が冷蔵庫幅方向中央部付近に配設されている。冷蔵室２２の一方側壁と縦仕切壁４４に挟まれた空間には、製氷用水を貯水する給水タンク１３が配設されている。
【００２１】
縦仕切壁４４と縦仕切壁４６に挟まれた空間には、引き出し式の収納容器１４が上下２段に重ねて配設され、縦仕切壁４４と縦仕切壁４６の対向面に設けられたレール（不図示）によって収納容器１４の側面を摺動可能に支持している。
【００２２】
縦仕切壁４６と冷蔵室２２の他側壁（右側壁）に挟まれた空間には、引き出し式のチルド容器１５が配設され、縦仕切壁４６と冷蔵室２２の他方側壁との対向面に設けられたレール（不図示）によってチルド容器１５の側面を摺動可能に支持している。
【００２３】
固定板６２には、給水タンク１３の配設位置より冷蔵室幅方向にずれた位置であって、例えば、収納容器１４およびチルド容器１５の前方位置に、固定板６２を貫通する取付穴部６６が設けられている。
【００２４】
取付穴部６６は、図２および図４に示すような野菜室扉２５の閉扉状態において上記した所定位置に移動した上部容器２５ａの前端部の上方に設けられている。取付穴部６６は、図４に示すように、下方に狭くなる階段状の段部６７が内周縁部に形成され、下方に窪んだ凹部６９が取付穴部６６の外周を取り囲んで設けられている。
【００２５】
透明板６４は、透明樹脂からなる板状の成形体であり、周縁部に比べて内側が窪んだ形状をなした板部６４ａと、板部６４ａから下方に突出する脚部６４ｂとを備える。
【００２６】
透明板６４は、取付穴部６６に形成された段部６７に脚部６４ｂが嵌め込まれることで取付穴部６６に固定され、取付穴部６６に固定された状態において、取付穴部６６の外周縁部に設けられた凹部６９より下方に位置している。
【００２７】
これにより、仕切体６０は、図４および図５に示すように、透明板６４において固定板６２より下方に窪んだ形状をなし、透明板６４の後方に位置する収納容器１４およびチルド容器１５が前方へ引き出された際に、収納容器１４およびチルド容器１５の底面と透明板６４との間に上下方向の隙間Ｓが形成される。
【００２８】
また、本実施形態では、収納容器１４およびチルド容器１５の前方への引出量が、透明板６４の冷蔵庫前後方向に沿った長さ寸法より長く設けられており、収納容器１４およびチルド容器１５を前端まで引き出した時に、収納容器１４およびチルド容器１５の底部前端部が透明板６４より前方に位置するように構成されている。
【００２９】
冷蔵室２２の左側壁と縦仕切壁４４に挟まれた空間の前方には、給水タンク１３を所定位置に案内するガイド溝６８が設けられている。上記のように取付穴部６６が給水タンク１３の配設位置より冷蔵室幅方向にずれた位置に配設されていることから、透明板６４を避けてガイド溝６８が配設されている。
【００３０】
また、固定板６２の下面には野菜室２４内を照明する照明装置８０が配設されている。本実施形態では、照明装置８０は取付穴部６６の後方に配置されており、透明板６４の下方位置から後方にかけて野菜室２４内の上部容器２５ａおよび下部容器２５ｂを照明する。この照明装置８０は、扉センサ３２が冷蔵室扉２３の開扉を検出すると、不図示の制御部より電源が供給され点灯される。
【００３１】
以上のように、本実施形態の冷蔵庫１０では、冷蔵室２２と野菜室２４とを上下に仕切る仕切体６０が、冷蔵庫本体１１を構成する内箱１１ｂに係止する固定板６２と、固定板６２の内方に配置された透明板６４とを備えている。これにより、野菜室扉２５を閉扉した状態であっても冷蔵室２２より固定板６２の内方に配設された透明板６４を通して野菜室２４の内部を目視することができるとともに、固定板６２を不透明に設けることで、冷蔵庫本体１１の内箱１１ｂに対して仕切体６０を固定するための構成が見えなくなり、冷蔵庫の美観を損ねることがない。
【００３２】
また、固定板６２は給水タンク１３や収納容器１４やチルド容器１５などの大きな荷重を支持するため、冷蔵庫本体１１に対して堅固に固定する必要がありそのための構成が大掛かりなものになるが、透明板６４には外部よりほとんど荷重が加わらないことから、固定板６２に対して透明板６４を固定するための構成が固定板６２を固定するための構成に比べて軽微になり目立ちにくいため、透明板６４を固定板６２の内側に配設しても美観がほとんど損なわれない。
【００３３】
また、本実施形態の冷蔵庫１０では、透明板６４の後方に位置する収納容器１４およびチルド容器１５が前方へ引き出された際に、収納容器１４およびチルド容器１５の底面と透明板６４との間に上下方向の隙間Ｓがあいているため、透明板６４は、収納容器１４およびチルド容器１５の底面に接触して傷がつきにくく長期にわたって視界を良好に保つことができる。
【００３４】
また、本実施形態の冷蔵庫１０では、固定板６２の下面に取り付けられ野菜室２４内に照明装置８０が配設され、該照明装置８０によって野菜室２４内を照明することができるため、野菜室扉２５を閉塞した状態であっても野菜室２４内部の視界を確保することができる。しかも、野菜室２４内に配設された照明装置８０が、冷蔵室扉２３の開扉に伴って点灯するため、必要時に照明装置８０を点灯させることができ、消費電力の浪費を抑えることができる。更に、本実施形態の冷蔵庫１０では、野菜室扉２５を閉扉した状態において、透明板６４の下方に上部容器２５ａの前端部が位置しているため、冷蔵室２２より透明板６４を通して野菜室２４に配設された上部容器２５ａだけでなく、その下方に配置された下部容器２５ｂの内部も目視することができ、使い勝手を向上することができる。
【００３５】
また、本実施形態の冷蔵庫１０では、仕切体６０上の給水タンク１３が、透明板６４より冷蔵室幅方向にずれた位置に配設され、給水タンク１３を所定位置に案内するガイド溝６８が透明板６４を避けて配設されている。そのため、給水タンク１３をガイド溝６８内で摺動させても、透明板６４が傷つくことが無く、長期にわたって透明板６４の視界を良好に保つことができる。
【００３６】
なお、上記の本実施形態では、透明板６４が固定板６２より下方に窪んだ形状に仕切体６０を設けることで、収納容器１４およびチルド容器１５の底面と透明板６４との間に上下方向の隙間Ｓを形成したが、例えば、収納容器１４およびチルド容器１５の底面を仕切体６０より上方に配置することで、収納容器１４およびチルド容器１５の底面と透明板６４との間に上下方向の隙間Ｓを形成してもよい。
【００３７】
また、上記の本実施形態では、照明装置８０を取付穴部６６の後方に配置し、透明板６４の下方位置から後方にかけて野菜室２４内を照明するように構成したが、例えば、固定板６２の下面における取付穴部６６の前方に照明装置８０を配置してもよい。このように照明装置８０を配置することで、透明板６４の下方位置から後方にかけて照明すると照明装置８０の光軸が後方に向くこととなり、上部容器２５ａの底面で反射した光が透明板６４を通して冷蔵室正面へ達することがなくなり、使用者がまぶしく感じることがない。
【符号の説明】
【００３８】
１０…冷蔵庫      １１…冷蔵庫本体（断熱箱体）  １１ａ…外箱
１１ｂ…内箱      １１ｃ…発泡断熱材            １２…断熱仕切壁
１３…給水タンク  １４…収納容器                １５…チルド容器
２２…冷蔵室      ２４…野菜室                  ２５…野菜室扉
２５ａ…上部容器  ２５ｂ…下部容器              ２６…製氷室
２８…小型冷凍室  ３０…冷凍室                  ３２…扉センサ
４１…仕切カバー  ６０…仕切体                  ６２…固定板
６４…透明板      ６４ａ…板部                  ６４ｂ…脚部
６６…取付穴部    ６７…段部                    ６８…ガイド溝
６９…凹部        ８０…照明装置                  Ｓ…隙間
【図１】
2011242002.tif 000003
【図２】
2011242002.tif 000004
【図３】
2011242002.tif 000005
【図４】
2011242002.tif 000006
【図５】
2011242002.tif 000007